(57)【要約】【課題】複数の撮影画像記録メディアからのコマ画像を用いて合成編集作業を行う際にも効率的な処理が可能な撮影画像合成編集装置を提供する。【解決手段】撮影コマ画像を記録する記録メディアから低解像度及び高解像度のコマ画像データを取得する画像データ取得部２と、取得された低解像度コマ画像データに基づいて任意のコマ画像を予備選択するコマ画像予備選択部４１と、予備選択されたコマ画像から合成編集対象となるコマ画像を選択する合成編集対象コマ画像選択部４２ａと、合成編集対象コマ画像に対して付与された処理コマンドに基づいて該当する高解像度コマ画像データを処理する画像処理部４４とが備えられている。コマ画像予備選択部は任意のコマ画像に対する予備選択を複数の記録メディアにわたって連続的に行うことができる。【選択図】　図８
2004015296.tif 000002
【特許請求の範囲】
【請求項１】
撮影コマ画像を記録する記録メディアから低解像度及び高解像度のコマ画像データを取得する画像データ取得部と、前記画像データ取得部によって取得された低解像度コマ画像データを一時的に格納する第１メモリと、取得された低解像度コマ画像データに基づいて任意のコマ画像を予備選択するコマ画像予備選択部と、前記画像データ取得部によって取得された前記予備選択されたコマ画像の高解像度コマ画像データを一時的に格納する第２メモリと、前記予備選択されたコマ画像から合成編集対象となるコマ画像を選択する合成編集対象コマ画像選択部と、前記合成編集対象コマ画像に対して付与された処理コマンドに基づいて該当する高解像度コマ画像データを処理する画像処理部とを備えた撮影画像合成編集装置において、
前記コマ画像予備選択部は任意のコマ画像に対する予備選択を複数の記録メディアにわたって連続的に行うことができるとともに、前記画像データ取得部は複数の記録メディアから予備選択されたコマ画像の高解像度コマ画像データを順次取得して前記第２メモリに格納することを特徴とする撮影画像合成編集装置。
【請求項２】
前記コマ画像予備選択部には画像回転機能が備えられており、予備選択されたコマ画像に対して画像の向きを指定できることを特徴とする請求項１に記載の撮影画像合成編集装置。
【請求項３】
前記コマ画像予備選択部には予備色補正機能が備えられており、予備選択されたコマ画像に対して予備的な色補正を指定できることを特徴とする請求項１又は２に記載の撮影画像合成編集装置。
【請求項４】
前記低解像度はモニタ画面の解像度に適応した解像度であり、前記高解像度は写真プリンタに適応した解像度であることを特徴とする請求項１〜３のいずれかに記載の撮影画像合成編集装置。
【発明の詳細な説明】
【０００１】
【発明の属する技術分野】
本発明は、写真フィルムやデジタルカメラ用メモリカードなどの各種撮影画像記録メディアから取り込んだコマ画像データに画像補正やマルチプリントのための複数コマ画像合成やテンプレートとコマ画像との画像合成などの画像処理を施してプリントデータを作成する撮影画像合成編集装置に関する。この装置によって作成されたプリントデータは写真プリンタに送られ、印画紙等の記録シートに合成画像を形成するために用いられる。
【０００２】
【従来の技術】
このような撮影画像合成編集装置では、モニタに表示される編集画面を見ながら処理対象となるコマ画像を選択するとともにその選択されたコマ画像に対して合成編集し、この編集結果に基づいて最終的にプリントデータが作成される。通常、写真プリンタの解像度はモニタの解像度の数倍程度であるので、このような装置では、モニタ表示のための低解像度（例えば９０ｄｐｉ）コマ画像データとプリント出力用の高解像度（３００ｄｐｉ）コマ画像データが用意される。
【０００３】
１つの撮影画像記録メディアに含まれている全てのコマ画像から合成編集候補となるコマ画像を選択するため、まずは全てのコマ画像の低解像度コマ画像データを取得してメモリに格納し、これらのコマ画像をモニタに表示する。合成編集候補となるコマ画像が選択されると、そのコマ画像に対する処理コマンドが設定され、続いて取得されたプリント対象となるコマ画像の高解像度コマ画像データに設定された処理コマンドに基づく画像処理が行われ、プリントデータが作成される。
【０００４】
【発明が解決しようとする課題】
このような一連の処理手順は、ただ１つの撮影画像記録メディアからのコマ画像を用いて合成編集する場合にはスムーズであるが、もし複数の撮影記録メディアからのコマ画像を用いて合成編集する場合には、前もって各撮影記録メディアからのコマ画像の低解像度コマ画像データを取得して共通の保管場所（ディレクトリ又はフォルダ）に格納しておく必要がある。このことが、合成編集作業の効率化を妨げる要因となっている。
【０００５】
さらには、プリント出力用の高解像度コマ画像データも予め全て取得しておくか、あるいは、合成編集候補となったコマ画像に対してだけ、撮影記録メディアを変更しながらその高解像度コマ画像データを取得するか、いずれかの構成を採用する必要がある。前者では高解像度コマ画像データのデータサイズが巨大なことからメモリコストが大きな負担となるし、後者では低解像度コマ画像データ取得作業と高解像度コマ画像データ取得作業のいずれの作業においても撮影記録メディアの取り替え工程が発生するというわずらわしさが生じる。
【０００６】
上記実状に鑑み、本発明の課題は、複数の撮影画像記録メディアからのコマ画像を用いて合成編集作業を行う際にも効率的な処理が可能な撮影画像合成編集装置を提供することである。
【０００７】
【課題を解決するための手段】
上記課題を解決するため、撮影コマ画像を記録する記録メディアから低解像度及び高解像度のコマ画像データを取得する画像データ取得部と、前記画像データ取得部によって取得された低解像度コマ画像データを一時的に格納する第１メモリと、取得された低解像度コマ画像データに基づいて任意のコマ画像を予備選択するコマ画像予備選択部と、前記画像データ取得部によって取得された前記予備選択されたコマ画像の高解像度コマ画像データを一時的に格納する第２メモリと、前記予備選択されたコマ画像から合成編集対象となるコマ画像を選択する合成編集対象コマ画像選択部と、前記合成編集対象コマ画像に対して付与された処理コマンドに基づいて該当する高解像度コマ画像データを処理する画像処理部とを備えた撮影画像合成編集装置において、本発明では、前記コマ画像予備選択部は任意のコマ画像に対する予備選択を複数の記録メディアにわたって連続的に行うことができるとともに、前記画像データ取得部は複数の記録メディアから予備選択されたコマ画像の高解像度コマ画像データを順次取得して前記第２メモリに格納することができる。
【０００８】
この構成では、複数の撮影記録メディアからのコマ画像を用いて合成編集する場合１つの撮影記録メディアから全ての低解像度コマ画像データを取得した後その中から合成編集候補となるべきコマ画像が予備的に選択されるとともにその高解像度コマ画像データが取得されるという一連の予備選択作業が、複数の撮影記録メディアにわたって連続的に行うことができる。これにより、各撮影記録メディア毎に取得された低解像度コマ画像データを１つの保管場所（ディレクトリ又はフォルダ）に入れるといった画像データファイルのファイル操作は不必要となる。また、高解像度コマ画像データの取得に関しては予備的に選択されたコマ画像の分だけに限定されるので、必要なメモリ容量は抑制される。
【０００９】
本発明の好適な実施形態の１つでは、前記コマ画像予備選択部には画像回転機能が備えられており、予備選択されたコマ画像に対して画像の向きを指定できる。撮影姿勢によって被写体の正位置が縦向きか横向きかになるが、このような単純な画像補正の指示（コマンド入力）を予備選択時に行っておくことで、撮影画像画像編集時の作業がスムーズとなる。
同様に、単純な明るさ調整等の色補正も予備選択時に行うことも好都合である。このため、本発明の他の好適な実施形態の１つでは、前記コマ画像予備選択部に予備色補正機能が備えられており、予備選択されたコマ画像に対して予備的な色補正を指定できる。
装置内に搭載するコマ画像データ用メモリを無駄使いしないように、低解像度画像コマデータはモニタ画面の解像度に適応した解像度で取得され、低解像度画像コマデータはこの装置に組み合わされる写真プリンタに適応した解像度で取得される。モニタ画面の解像度は一般的に７２〜９５ｄｐｉ程度であり、そのような解像度で取得されたコマ画像データのサイズは数十キロバイト程度であることから、少ない搭載メモリ容量であっても、予備選択作業時に多くのコマ画像からの選択が可能となる。
本発明によるその他の特徴及び利点は、以下図面を用いた実施形態の説明により明らかになるだろう。
【００１０】
【発明の実施の形態】
図１は本発明による撮影画像合成編集装置を備えた写真プリント出力システムの外観図であり、この写真プリント出力システムは、銀塩印画紙Ｐ（以下、印画紙Ｐと称する）に対して露光処理と現像処理とを行う写真プリンタとしてのプリントステーション１Ｂと、撮影コマ画像データの取得や取得された撮影画像コマデータからプリントステーション１Ｂで使用されるプリントデータの生成などを行う操作ステーション１Ａとから構成されている。撮影画像合成編集装置は操作ステーション１Ａに組み込まれている。
【００１１】
この写真プリント出力システムはデジタルミニラボとも称せられるものであり、そのプリントステーション１Ｂは、図２からよく理解できるように、２つの印画紙マガジン１１に納めたロール状の印画紙Ｐを該ステーション１Ｂの内部に搬送してプリントサイズに切断すると共に、このように切断された印画紙Ｐに対し、露光処理部１２で露光を行い、この露光後の印画紙Ｐを複数の現像処理槽を有した現像処理部１３に送って現像する。乾燥の後に装置上部の横送りコンベア１４からソータ１５に送られた印画紙、つまり写真プリントＰは、このソータ１５の複数のトレイ１５ａに対してオーダ単位で仕分けられた状態で集積される。
【００１２】
露光処理部１２は、操作ステーション１Ａから送られてくるプリントデータに基づいて印画紙Ｐを送りながらＲ（赤）、Ｇ（緑）、Ｂ（青）の３原色の光線の露光を行う露光ヘッド（図示せず）を備えており、露光時には印画紙Ｐを副走査方向に搬送しながら、この搬送速度と同期して主走査方向に沿ったライン状に露光を行うよう構成されている。尚、露光ヘッドとしては、露光仕様に応じて、蛍光ビーム方式、レーザビーム方式、液晶シャッター方式、ＤＭＤ方式又はＦＯＣＲＴ方式の採用が可能である。又、前記現像処理部１３は露光後の印画紙Ｐを複数の現像処理槽に対して連続的に送るよう多数の圧着ローラ（図示せず）を有した搬送系を備えている。
【００１３】
前記操作ステーション１Ａは、操作テーブル１６を設けたデスク状コンソールの上部位置に写真フィルムＦから撮影画像データを取得するフィルムスキャナ２Ａと、各種情報を表示するＣＲＴディスプレイ（以下単にモニタと呼ぶ）１７とを備えている。さらに操作テーブル１６上にはこの写真プリント出力システムの操作入力部１８として機能するキーボード１８ａとマウス１８ｂが配置されている。また、この操作テーブル１６の下方には、フィルムスキャナ２Ａを通じて写真フィルムＦから読み取られたコマ画像データの処理やプリントデータの生成、プリントステーション１Ｂの制御を行うコントローラ４として機能する汎用コンピュータが備えられている。この汎用コンピュータ４にはデジタルカメラの撮影画像メモリとして用いられているスマートメディアやコンパクトフラッシュなどから撮影画像データを取得するメディアリーダ２Ｂも備えられており、前述したフィルムスキャナ２Ａとこのメディアリーダ２Ｂ、さらには通信回線を利用して送られてくる画像データを受信する、ここでは図示されていない画像データ受信部などを総称して画像データ取得部２と称する。
【００１４】
フィルムスキャナ２Ａは、図２に模式的に示されているように、フィルム搬送ラインの上方に位置する光源２０と、フィルム搬送ラインの下側でこれに対して直交する方向に延びたスリット２１の下方に位置する光学レンズ２２とこの光学レンズ２２によって結像されたフィルムＦの透過光を光電変換するＣＣＤ型のセンサユニット２３を備えている。センサユニット２３はコントローラ４に接続されており、センサユニット２３によって変換されたデジタル画像データはコントローラ内のメモリに高速に送り込まれる。
【００１５】
現像済みのフィルムＦから撮影画像コマを読み込む際には、副走査搬送機構２４を用いてフィルムスキャナ２ＡにセットされたフィルムＦを搬送しながら、この搬送速度と同期してセンサユニットでフィルム透過光を主走査方向に沿って１ラインずつＲ（赤）、Ｇ（緑）、Ｂ（青）に色分解した後光電変換して、Ｒ（赤）、Ｇ（緑）、Ｂ（青）夫々の輝度データからなる撮影画像データがコントローラ４に転送される。このフィルムスキャナ２Ａは、まず、低解像度（モニタ画面に適応した解像度）のコマ画像データを得るためフィルム１本分を連続的に低解像度で読み取る。この画像データは、濃度差に基づいてコマ画像毎に切り出されることで予備選択画面表示に用いられるコマ画像データとなるが、その切り出し時に求められたコマ位置情報をコマ位置データとした後で行われる高解像度（プリントステーション１Ｂのプリント解像度に適応した解像度）でのコマ画像読取時に利用される。被写体によっては撮影画面領域と非撮影画面領域との間で濃度差がほとんどなく機械的にコマ画像エッジが検出されないことがあるが、その場合はオペレータによる目視判断でコマ位置データを入力することも可能である。
【００１６】
高解像度でのコマ画像読取時には、先ほど述べたコマ位置データに基づいて各コマ画像の前エッジでセンサユニット２３によるスキャニングを開始し、後エッジでスキャニングを停止することで、コマ画像単位の高解像度画像データが順次コントローラ４に取り込まれていく。
【００１７】
デジタルカメラによる撮影画像をコントローラ４に転送する場合は、使用されている撮影画像記録メモリに適したメディアリーダ２Ｂを通じて撮影画像情報として高解像度画像データ及びプレジャッジ用画像データとして低解像度データが読み込まれるが、適切な低解像度データが含まれていない場合には解像度変換によって高解像度画像データから低解像度化された画像データが、プレジャッジ用画像データとして利用される。
【００１８】
この写真プリント出力システムのコントローラ（パソコン）４は、ＣＰＵを中核部材として、転送された写真画像データに対して種々の処理を行うための機能部がハードウエア又はソフトウエアあるいはその両方で実装されているが、本発明に特に関係する機能部として、画像データ取得部２によって取得された低解像度コマ画像データを一時的に格納する第１メモリ４０ａ及び画像データ取得部２によって取得された高解像度コマ画像データを一時的に格納する第２メモリ４０ｂとして機能するバッファメモリ４０、第１メモリ４０ａに格納された低解像度コマ画像データに基づいてコマ画像の予備選択表示画像を作り出して処理候補となる任意のコマ画像の選択を可能にするコマ画像予備選択部４１、コマ画像予備選択部４１で予備選択されたコマ画像の少なくとも１つを合成編集対象コマ画像として選択して合成編集を行う合成編集部４２、操作入力部１８からの操作入力信号に対応する処理コマンドなどの操作コマンドを割り当てる操作入力処理部４６、プレジャッジ時に補正対象撮影コマの画像をモニタ１７に表示するビデオ制御部４３、合成編集対象となったコマ画像に対して付与された処理コマンドに基づいて該当する高解像度コマ画像データを処理する画像処理部４４、最終的な画像処理済み高解像度画像データをプリントステーション１Ｂのプリント仕様に合わせてプリントデータに変換するプリントデータ生成部４５などが挙げられる。
【００１９】
コマ画像予備選択部４１には、前述したように、画像コマソースとしてフィルムＦが取り扱われる場合フィルムスキャナ２Ａで取得されたフィルム１本分の低解像度の画像データから濃度差を考慮してコマ位置を示すコマ位置データを生成するとともにこのコマ位置データを用いてコマ画像単位の予備選択画面表示用の画像コマデータを作り出す機能を有する。さらには、予備選択作業時においても予備選択されたコマ画像に対して画像回転やおおざっぱな色補正などの処理コマンドを設定することができるように、コマ画像予備選択部４１には予備処理コマンド管理部４１ａも備えられている。
【００２０】
合成編集部４２には、前記予備選択されたコマ画像を再度モニタに表示して合成編集対象となるコマ画像の選択を可能にする合成編集対象コマ画像選択部４２ａ、合成編集対象となったコマ画像に対して操作入力処理部４６を通じて設定された処理コマンドに基づいて予想されるプリント出力画像に対応するシミュレート画像データを使用モニタ１７や露光処理部１２などの色出力特性を参照しながら生成するシミュレート画像生成部４２ｂ、合成編集対象となったコマ画像に対して設定された処理コマンドを管理する処理コマンド列管理部４２ｃが備えられている。
【００２１】
この写真プリント出力システムによる撮影コマ画像の合成編集プリント工程を図４を用いて説明する。
まず、撮影コマ画像を記録しているメディアを選択する（＃１１０）が、例えば、そのメディアが現像済みのネガフィルムＦの場合、該当フィルムＦをフィルムスキャナ２Ａにセットする。次に、低解像度でのコマ画像データが取得され、第１メモリ４０ａに転送される（＃１２０）。コマ画像予備選択部４１によってモニタ１７に、図５で例示されるような予備選択画面が表示される（＃１３０）。この予備選択画面を用いて１本のフィルムＦに記録された全ての撮影画像コマから合成編集の対象となる候補が選択される（＃１４０）。その際、予備選択された画像コマの枠は赤色表示されるが、この選択枠内をダブルクリックすることで色補正用の画面が別ウインドウとして表示されるので、この予備選択された画像コマに対して色補正処理コマンドを設定することができる。また、画像回転ボタンを押すことでコマ画像の向きを９０度回転させることも可能である。セットされた１つの記録メディア、ここでは１本のフィルムＦに含まれているコマ画像に対する予備選択作業が完了すると、予備選択されたコマ画像の高解像度でのコマ画像データの取得が行われ、取得された高解像度コマ画像データは第２メモリ４０ｂに転送される（＃１５０）が、さらに別の記録メディアに含まれているコマ画像に対する予備選択を希望する場合には（＃１６０Ｙｅｓ分岐）、予備選択画面のメディア選択ボタンを押すことで、再びメディア選択を行って（＃１１０）、予備選択作業を続行することができる（＃１２０〜＃１５０）。希望する全ての記録メディアに含まれているコマ画像に対する予備選択作業が完了すると（＃１６０Ｎｏ分岐）、次は図６で例示されるような合成編集画面が表示される（＃２１０）。
【００２２】
この合成編集画面はマルチプリント用であり、そこには前もって選ばれたレイアウトテンプレートに基づく複数のコマ画像流し込み枠と各種処理のためのツールボックスが配置されている。さらに、先の予備選択作業で選択された画像コマを横スクロール方式で表示させる合成編集対象コマ画像選択ウインドウも表示される。この合成編集対象コマ画像選択ウインドウ内で選択したコマ画像をコマ画像流し込み枠までマウス１８ｂでドラッグしていくことでマルチプリント用の合成画像が設定される（＃２２０）。必要に応じて、コマ画像流し込み枠に設定された各コマ画像に対する縮小拡大処理や色補正処理等の合成編集作業が行われる。最後に、各コマ画像の背景又は前景画像としてのテンプレートがテンプレート画像格納部４２ｄから読み込まれ、図７で例示するようなプリントイメージが作成される（＃２３０）。このような合成編集作業が完了すると、プリントイメージに相応するプリントデータがプリントステーション１Ｂに送られ、複数のコマ画像を有するマルチプリントＰが出力される（＃２４０）。
【００２３】
次にコマ画像ないしはコマ画像データがこの撮影画像合成編集装置の各構成要素によってどのように処理され、写真プリントとして出力されていくかを図８を用いて説明する。この例では撮影コマ画像を記録している記録メディアとして複数の現像済みネガフィルムＦが取り扱われるとする。
【００２４】
第１のフィルムＦがフィルムスキャナ２にセットされると、そのフィルム１本分がその長さにわたって連続的に低解像度でスキャンされ、第１メモリ４０ａに転送される（＃０１）。第１メモリ４０ａに格納されたフィルム１本分の低解像度の画像データからコマ位置を割り出し、各撮影画像コマ単位のコマ画像データが切り出され（＃０２）、コマ画像予備選択部４１によって予備選択画面表示データとしてビデオ制御部４３に送られる（＃０３）。モニタ１７には図５で示したような予備選択画面が表示されるので、マウス１８ｂ等を用いて所望のコマ画像が予備選択され、予備選択されたコマ画像に対して必要な画像回転や色補正などの処理コマンドが設定される（＃０４）。これらの処理コマンドのうち予備選択に関する情報は画像データ取得部２、ここではフィルムスキャナ２Ａによる高解像度コマ画像データの取得にも利用される（＃０５）。つまり、フィルムスキャナ２Ａは予備選択された画像コマだけを上述したコマ位置情報に基づいて高解像度で読み取り、取得された高解像度コマ画像データを第２メモリ４０ｂに転送する（＃０６）。以上のごとく第１のフィルムＦに関する予備選択作業が終了すると、第２のフィルムＦに関する予備選択作業が行われ、予備選択された画像コマの高解像度コマ画像データは第２メモリ４０ｂに格納される。予定されている全てのフィルムＦに関する予備選択作業が終了すると、次に合成編集作業が行われる。
【００２５】
まず合成編集作業では、まず合成編集対象コマ画像選択部４２ａによって先に予備選択された全ての表示用画像コマデータを含む選択画面表示データがビデオ制御部４３に送られ（＃０９）、モニタ１７に図６で示したような合成編集画面が表示される。マウス１８ｂ等を用いて所望の画像コマをコマ画像流し込み枠にドラッグすることで合成編集対象コマ画像が選択されたことになり、このような画像選択情報や選択されたコマ画像に対して設定された色補正等のパラメータは適用されたテンプレートの情報とともに合成編集処理データとして処理コマンド管理部４２ｃで管理される（＃１０）。なお、合成編集画面にはプリントイメージが表示されるが、このプリントイメージのための表示データはできるだけ出力されるプリント画像と一致させるようにシミュレート画像生成部４２ｂで生成される。また、予備選択作業時に指定された画像回転や色補正もプリントイメージに反映されるように構成されている。
【００２６】
合成編集作業が終了すると、第２メモリ４０ｂから処理対象となる高解像度画像コマデータが（＃１１）、そして処理コマンド管理部４１ａ、４２ｃから処理コマンドが（＃１２）画像処理部４４に転送され、そこで合成編集作業で決定されたプリントイメージ通りの高解像度の画像データが作り出される。この合成処理済みの高解像度画像データはプリントデータ生成部４５でプリントステーション１Ｂで使用される仕様のプリントデータに変換され、所望のマルチプリントを作成すべく、プリントステーション１Ｂの露光処理部１２に転送される（＃１３）。
【００２７】
上記実施の形態の説明では、１つの写真プリントに複数の撮影画像コマを組み込むマルチプリントのための撮影画像合成編集を例として取り上げたが、本発明の装置は、複数の記録メディアから選択された撮影画像コマを用いて合成編集する種々の写真プリント出力に利用することが可能である。
また、プリントステーション２Ｂとして印画紙Ｐを露光・現像して写真プリントを作製する銀塩プリンタを取りあげたが、インクジェットプリンタや熱転写プリンタ・昇華型プリンタを採用しても良い。
【図面の簡単な説明】
【図１】本発明による撮影画像合成編集装置を備えた写真プリント出力システムの外観図
【図２】図１による写真プリント出力システムの模式図
【図３】写真プリント出力システムに組み込まれたコントローラに構築される主な撮影画像合成編集機能を示す機能ブロック図
【図４】写真プリント出力システムによる撮影コマ画像の合成編集プリント工程を示すフローチャート
【図５】モニタに表示された予備選択画面を示す図
【図６】モニタに表示された合成編集画面を示す図
【図７】合成編集画面に表示された最終プリントイメージを示す図
【図８】合成編集プリント工程におけるコマ画像データや処理コマンドの流れを示す模式図
【符号の説明】
１Ａ　操作ステーション
１Ｂ　プリントステーション
２Ａ　フィルムスキャナ
２Ｂ　メディアリーダ
４　　コントローラ
１８　　操作入力部
４０　　バッファメモリ
４０ａ　第１メモリ
４０ｂ　第２メモリ
４１　　コマ画像予備選択部
４１ａ　処理コマンド管理部
４２　　合成編集部
４２ａ　合成編集対象コマ画像選択部
４２ｂ　シミュレート画像生成部
４２ｃ　処理コマンド管理部
４３　　ビデオ制御部
４４　　画像処理部
４５　　プリントデータ生成部
４６　　操作入力処理部
【図１】
2004015296.tif 000003
【図２】
2004015296.tif 000004
【図３】
2004015296.tif 000005
【図４】
2004015296.tif 000006
【図５】
2004015296.tif 000007
【図６】
2004015296.tif 000008
【図７】
2004015296.tif 000009
【図８】
2004015296.tif 000010